(57)【特許請求の範囲】
【請求項１】
内部に備えられている第１の記録媒体と、着脱自在に構成される第２の記録媒体を含む記録媒体を備える情報処理装置において、
被写体の画像を撮影する撮影手段と、
前記撮影手段により撮影された前記画像の画像データを、前記記録媒体毎にデータ量が異なるように記録する記録手段と、
前記第１の記録媒体に記録されている画像データの一覧表示と前記第２の記録媒体に記録されている画像データの一覧表示は異なる表示となるように表示を制御する表示制御手段と
を備え、
外部装置に接続された場合、前記第１の記録媒体の所定の領域に記録されている画像データは、編集が行えないように制御される
情報処理装置。
【請求項２】
前記記録手段は、前記第１の記録媒体に記録される画像データのデータ量が、前記第２の記録媒体に記録される画像データのデータ量より小さくなるように、前記画像データを記録する
請求項１に記載の情報処理装置。
【請求項３】
新たに記録される画像データを記録する容量が前記第１の記録媒体にないとき、前記第１の記録媒体に記録された前記画像データは、前記撮影手段により撮影された順で削除される
請求項１に記載の情報処理装置。
【請求項４】
前記記録手段は、前記第１の記録媒体に記録される画像データの圧縮率が、前記第２の記録媒体に記録される画像データの圧縮率より高くなるように、前記画像データを記録する
請求項１に記載の情報処理装置。
【請求項５】
前記記録手段は、前記第1の記録媒体に画像データを記録する際、前記画像データを管理する管理ファイルを前記第1の記録媒体に記録する
請求項１に記載の情報処理装置。
【請求項６】
前記管理ファイルは前記画像データを日付毎に分類して管理する
請求項５に記載の情報処理装置。
【請求項７】
前記記録媒体に記録された画像データを再生する再生手段と、
前記記録媒体のうちいずれか一つを選択する選択手段と
をさらに備え、
前記再生手段は、前記選択手段により選択された記録媒体に記録された画像データを再生する
請求項１に記載の情報処理装置。
【請求項８】
内部に備えられている第１の記録媒体と、着脱自在に構成される第２の記録媒体を含む記録媒体を備える情報処理装置の情報処理方法において、
被写体の画像の撮影を制御する撮影制御ステップと、
前記撮影制御ステップの処理で撮影が制御された前記画像の画像データを、前記記録媒体毎にデータ量が異なるように記録を制御する記録制御ステップと、
前記第１の記録媒体に記録されている画像データの一覧表示と前記第２の記録媒体に記録されている画像データの一覧表示は異なる表示となるように表示を制御する表示制御ステップと
を含み、
外部装置に接続された場合、前記第１の記録媒体の所定の領域に記録されている画像データは、編集が行えないように制御される
情報処理方法。
【請求項９】
内部に備えられている第１の記録媒体と、着脱自在に構成される第２の記録媒体を含む記録媒体を備える情報処理装置に、
被写体の画像の撮影を制御する撮影制御ステップと、
前記撮影制御ステップの処理で撮影が制御された前記画像の画像データを、前記記録媒体毎にデータ量が異なるように記録を制御する記録制御ステップと、
前記第１の記録媒体に記録されている画像データの一覧表示と前記第２の記録媒体に記録されている画像データの一覧表示は異なる表示となるように表示を制御する表示制御ステップと
を含み、
外部装置に接続された場合、前記第１の記録媒体の所定の領域に記録されている画像データは、編集が行えないように制御される
処理を実行させるコンピュータが読み取り可能なプログラム。
【発明の詳細な説明】
【技術分野】
【０００１】
本発明は情報処理装置および方法、並びにプログラムに関し、特に、２つの記録媒体に、それぞれデータを記録し、異なる再生を行うようにする情報処理装置および方法、並びにプログラムに関する。
【背景技術】
【０００２】
ＣＣＤ（Charge Coupled Devices）やＣＭＯＳ（Complementary Metal Oxide Semiconductor）などの撮像素子を利用して、静止画像を撮像したり、動画像を撮影したりするデジタルスチルカメラやデジタルビデオカメラなどの画像処理装置が広く知られている。
【０００３】
このような画像処理装置においては、撮像により得られた静止画像データ、または撮影により得られた動画像データは記録媒体に記録される。なお、以下、静止画像および動画像を特に区別する必要のない場合、単に画像と称する。
【０００４】
静止画像データが記録媒体に記録される際、撮像された静止画像よりサイズが小さい静止画像が生成され、そのサイズが小さい静止画像（サムネイル画像と称される画像）も記録されることがある。また、動画像データが記録媒体に記録される際、撮影された動画像よりもサイズが小さい動画像が生成され、そのサイズが小さい動画像も記録されることがある。このようなサイズが小さい静止画像や動画像は、元のサイズの静止画像や動画像を検索する際の参考となる画像として用いられる。（例えば、特許文献１参照）
【０００５】
画像処理装置のなかには、記録媒体に記録された画像データに基づく画像を表示（再生）する機能を有する装置もある。また、画像処理装置のなかには、記録している画像データを、接続されている外部の装置に出力する機能を有する装置もある。
【特許文献１】特開２００１―１６０９４７号公報
【発明の開示】
【発明が解決しようとする課題】
【０００６】
上記したように、デジタルスチルカメラやデジタルビデオカメラなどの画像処理装置においては、画像処理装置に対して着脱自在の記録媒体や画像処理装置に内蔵されている記録媒体（例えば、磁気メディア、光メディア、不揮発性メモリなど）に、画像を記録しておくことが一般的であった。しかしながら、記録される画像をなるべく綺麗な画像として残したいユーザの目的に対して、十分な容量を確保できる記録媒体が少なかったため、記録後、保存データファイルを記録媒体から大容量の記録領域を有する他の装置（例えば、パーソナルコンピュータ）や、別途他の記録媒体にデータを移す必要があった。このようにして、画像処理装置の記録媒体の記録容量を空ける必要があった。
【０００７】
しかしながら、それらの操作は、ユーザの身近に、データを移すことが可能なパーソナルコンピュータ等の外部機器や、大容量の記録媒体があるときには可能な操作であるが、ユーザの身近に、それらの装置などがない場合には、ユーザは、画像処理装置の記録媒体に保存されている画像データを消去あるいは編集して空き容量を作りだすか、撮影を断念し撮影機会を逃してしまうかしなくてはならなかった。そのため、使い勝手が悪くなってしまうことがあった。
【０００８】
画像処理装置の本体で、記録されている画像データの消去や編集を行う場合、画像データの選択、消去の決定のそれぞれの操作を繰り返し行う必要があり、誤操作の原因となりえるため、消去されたり編集されたりした画像データを、復元することは困難あるいは不可能である場合が多く、元の画像を閲覧する機会を失ってしまう可能性があった。
【０００９】
また、記録媒体自体を交換するという方法がとられることもある。このような場合、記録媒体に保存されている画像が、本体で閲覧できなくなってしまう、または、本体で閲覧するためには、何らかの操作、例えば、ファイルを選択する操作を行ったり、データのコピーを行ったりといった操作を行わなければ、本体で過去に撮影した画像を閲覧できなってしまった。
【００１０】
これらの理由により、ある一定のデータ数のファイルを閲覧するためには本体では困難であり、パーソナルコンピュータ等のバックアップ用の大容量メディアを備えた機器を利用して閲覧されていた。
【００１１】
また、これらの問題を解決するために本体内に内蔵のフラッシュメモリ等を設置しお気に入りの画像等をバックアップしておくシステム等が提案されたが（例えば、特開2005-160090）が、再生時にバックアップしたいファイルを選択する必要があり、選択、決定する操作はステップ数が多くユーザが操作をするには困難であった。
【００１２】
本発明は、このような状況に鑑みてなされたものであり、より簡単に、過去に撮影した画像などを閲覧することができるようにするものである。
【課題を解決するための手段】
【００１３】
本発明の一側面の情報処理装置は、内部に備えられている第１の記録媒体と、着脱自在に構成される第２の記録媒体を含む記録媒体を備える情報処理装置において、被写体の画像を撮影する撮影手段と、前記撮影手段により撮影された前記画像の画像データを、前記記録媒体毎にデータ量が異なるように記録する記録手段と、前記第１の記録媒体に記録されている画像データの一覧表示と前記第２の記録媒体に記録されている画像データの一覧表示は異なる表示となるように表示を制御する表示制御手段とを備え、外部装置に接続された場合、前記第１の記録媒体の所定の領域に記録されている画像データは、編集が行えないように制御される。
【００１４】
前記記録手段は、前記第１の記録媒体に記録される画像データのデータ量が、前記第２の記録媒体に記録される画像データのデータ量より小さくなるように、前記画像データを記録するようにすることができる。
【００１５】
新たに記録される画像データを記録する容量が前記第１の記録媒体にないとき、前記第１の記録媒体に記録された前記画像データは、前記撮影手段により撮影された順で削除されるようにすることができる。
【００１６】
前記記録手段は、前記第１の記録媒体に記録される画像データの圧縮率が、前記第２の記録媒体に記録される画像データの圧縮率より高くなるように、前記画像データを記録するようにすることができる。
【００１７】
前記記録手段は、前記第1の記録媒体に画像データを記録する際、前記画像データを管理する管理ファイルを前記第1の記録媒体に記録するようにすることができる。
【００１８】
前記管理ファイルは前記画像データを日付毎に分類して管理するようにすることができる。
【００１９】
前記記録媒体に記録された画像データを再生する再生手段と、前記記録媒体のうちいずれか一つを選択する選択手段とをさらに備え、前記再生手段は、前記選択手段により選択された記録媒体に記録された画像データを再生するようにすることができる。
【００２１】
本発明の一側面の情報処理方法は、内部に備えられている第１の記録媒体と、着脱自在に構成される第２の記録媒体を含む記録媒体を備える情報処理装置の情報処理方法において、被写体の画像の撮影を制御する撮影制御ステップと、前記撮影制御ステップの処理で撮影が制御された前記画像の画像データを、前記記録媒体毎にデータ量が異なるように記録を制御する記録制御ステップと、前記第１の記録媒体に記録されている画像データの一覧表示と前記第２の記録媒体に記録されている画像データの一覧表示は異なる表示となるように表示を制御する表示制御ステップとを含み、外部装置に接続された場合、前記第１の記録媒体の所定の領域に記録されている画像データは、編集が行えないように制御される。
【００２２】
本発明の一側面のプログラムは、内部に備えられている第１の記録媒体と、着脱自在に構成される第２の記録媒体を含む記録媒体を備える情報処理装置の処理を、コンピュータに行われるプログラムにおいて、被写体の画像の撮影を制御する撮影制御ステップと、前記撮影制御ステップの処理で撮影が制御された前記画像の画像データを、前記記録媒体毎にデータ量が異なるように記録を制御する記録制御ステップと、前記第１の記録媒体に記録されている画像データの一覧表示と前記第２の記録媒体に記録されている画像データの一覧表示は異なる表示となるように表示を制御する表示制御ステップとを含み、外部装置に接続された場合、前記第１の記録媒体の所定の領域に記録されている画像データは、編集が行えないように制御される。
【００２３】
本発明の一側面においては、撮影された被写体の画像が、異なる記録媒体に異なる圧縮率で記録される。
【発明の効果】
【００２４】
本発明の一側面によれば、過去に撮影した画像を容易に閲覧することが可能となる。
【００２５】
また、本発明の一側面によれば、撮影された同一の画像を、異なる記録媒体に記録させることが可能となる。異なる記録媒体に記録させる際、異なるデータ量で記録させることが可能となる。
【発明を実施するための最良の形態】
【００２８】
以下に、本発明の実施の形態について図面を参照して説明する。
【００２９】
［画像処理装置の構成について］
図１は、本発明を適用した画像処理装置の外観の構成例を示す図である。この画像処理装置は、例えば、静止画像や動画像を撮影するデジタルスチルカメラ、デジタルビデオカメラなどに適用することができる。
【００３０】
画像処理装置１１は、本体２１および本体２２から構成される。ユーザは、本体２１を把持し、本体２１または本体２２に設けられたボタンなどを操作することで、静止画像や動画像の撮影（撮像）、またはそれらの再生を画像処理装置１１に行わせることができる。
【００３１】
なお、以下の説明において、静止画像と動画像を特に区別する必要のない場合、単に画像と称する。また、以下の説明においては、画像を撮影するとは、動画像を撮影する場合に限らず、静止画像を撮像（撮影）する場合も含まれるとする。
【００３２】
本体２１には、画像を撮影する記録モード、または画像を再生（表示）する再生モードを選択する（切り替える）ときに操作されるモード切替ボタン３１、静止画像を撮影するときに操作されるシャッタボタン３２、および動画像を撮影するときに操作される録画ボタン３３が設けられている。
【００３３】
本体２２には、画像や各種の設定を行うためのメニュー画面を表示させるための表示部３４が設けられている。また、本体２２には、表示部３４の図中右側に、表示部３４に表示されたカーソルなどを移動させ、画像やメニュー項目を選択するときに操作される十字キー３５−１乃至３５−４、カーソルにより選択された画像やメニュー項目の表示や実行を決定するときに操作される決定ボタン３６が設けられている。さらに、本体２２には、輪状の操作手段であるシャトル３７が設けられている。
【００３４】
シャトル３７は、決定ボタン３６を中心に（決定ボタン３６を軸として）、図中矢印Ａ１１の方向に回動する構成とされている。このシャトル３７は、回動された角度に応じてカーソルの移動などの処理を行わせるときに操作される。なお、以下、十字キー３５−１乃至十字キー３５−４を個々に区別する必要のない場合、単に十字キー３５と称する。
【００３５】
また、本体２２は、本体２１に対して、決定ボタン３６を中心とし、図中、矢印Ａ１１の方向に回動させることができるように構成されている。例えば、ユーザは、本体２１を把持したまま本体２２を回動させて、ユーザに対する表示部３４の角度を調整することができるように構成されている。さらに、本体２１に対して本体２２が回動されると、本体２１と本体２２は互いに重なるように構成されている。例えば、ユーザは、本体２２を回動させて、本体２１と本体２２を重ねることによって、画像処理装置１１を小さくまとめることができ、容易に持ち運ぶことができるように構成されている。
【００３６】
さらに、本体２１のモード切替ボタン３１、シャッタボタン３２、および録画ボタン３３が設けられている面とは反対側の面（対向する面）の決定ボタン３６と対向する位置には、撮影を行うための図示せぬレンズが設けられている。例えば、ユーザは、本体２１を把持してレンズを被写体に向け、表示部３４に表示される画像を見ながら撮影画角を確認し、シャッタボタン３２、または録画ボタン３３を操作して被写体の撮影を行う。
【００３７】
図２は、図１の画像処理装置１１の内部構成例を示すブロック図である。
【００３８】
画像処理装置１１は、撮影部５１、ＡＤ（Analog Digital）変換部５２、マイクロフォン５３、ＡＤ変換部５４、信号処理部５５、ＲＡＭ（Random Access Memory）５６、出力部５７、圧縮伸張処理部５８、内部記録部５９、制御部６０、入力部６１、電源制御部６２、ＲＯＭ（Read Only Memory）６３、ドライブ６４、および、インタフェース６５を含むように構成される。
【００３９】
また、撮影部５１、信号処理部５５、ＲＡＭ５６、出力部５７、圧縮伸張処理部５８、内部記録部５９、制御部６０、入力部６１、電源制御部６２、ＲＯＭ６３、ドライブ６４、およびインタフェース６５は、バス６６により相互に接続されている。
【００４０】
撮影部５１は、例えば、ＣＣＤ、ＣＭＯＳなどの撮像素子やレンズなどを含む構成とされ、制御部６０の制御の基に被写体を撮影し、撮影により得られた画像信号をＡＤ変換部５２に供給する。例えば、撮影部５１を構成する撮像素子は、図示せぬレンズをから入射した光を受光し、その受光した光の量（光量）に応じた電荷を蓄積して電圧信号を生成し、これを画像信号としてＡＤ変換部５２に供給する。
【００４１】
ＡＤ変換部５２は、撮影部５１から供給された画像信号を、アナログ信号からデジタル信号に変換して信号処理部５５に供給する。
【００４２】
マイクロフォン５３は、画像処理装置１１の周囲の音声を集音し、集音した音声を電気信号である音声信号に変換し、ＡＤ変換部５４に供給する。ＡＤ変換部５４は、マイクロフォン５３から供給された音声信号を、アナログ信号からデジタル信号に変換して信号処理部５５に供給する。
【００４３】
信号処理部５５は、制御部６０の制御の基に、ＡＤ変換部５２から供給された画像信号、またはＡＤ変換部５４から供給された音声信号に対して、必要に応じて所定の処理を施し、画像データまたは音声データを生成してＲＡＭ５６に供給する。例えば、信号処理部５５は、制御部６０の制御の基に、ＡＤ変換部５２から供給された画像信号を、輝度信号（Ｙ信号）と色差信号（Ｃｒ信号およびＣｂ信号）に変換し、ガンマ補正処理などを施して生成された画像データをＲＡＭ５６に供給する。
【００４４】
ＲＡＭ５６は、制御部６０の制御の基に、信号処理部５５から供給された画像データまたは音声データを一時的に記憶し、記憶している画像データまたは音声データを、出力部５７または圧縮伸張処理部５８に供給する。また、ＲＡＭ５６には、制御部６０が実行するプログラムやデータなども適宜記憶される。
【００４５】
出力部５７は、表示部３４、スピーカ８１などを含むように構成される。例えば、出力部５７の表示部３４は、液晶ディスプレイなどから構成され、ＲＡＭ５６を介して信号処理部５５から供給された画像データ、または圧縮伸張処理部５８から供給された画像データを基に、画像を表示する。さらに、出力部５７のスピーカ８１は、圧縮伸張処理部５８から供給された音声データを基に音声を再生する。
【００４６】
圧縮伸張処理部５８は、記録動作時には、制御部６０の制御の基に、ＲＡＭ５６から供給された画像データを所定の方式に基づいて圧縮し、圧縮された画像データを生成する。また、圧縮伸張処理部５８は、再生動作時には、制御部６０の制御の基に、内部記録部５９またはリムーバブルメディア９１から画像データを取得し、取得した画像データを必要に応じて伸張して出力部５７に供給する。
【００４７】
内部記録部５９は、例えば、画像処理装置１１に内蔵されているハードディスク、不揮発性のフラッシュメモリなどから構成され、制御部６０の制御の基に、圧縮伸張処理部５８から供給された画像データを記録したり、内部記録部５９は、記録している静止画像ファイルまたは動画像ファイルを圧縮伸張処理部５８に供給したりする。
【００４８】
制御部６０は、例えば、ＣＰＵ（Central Processing Unit）などから構成され、ＲＯＭ６３に記録されているプログラムを実行し、画像処理装置１１全体を制御する。また、制御部６０は、入力部６１から供給された入力信号に応じて各種の処理を行う。例えば、制御部６０は、入力部６１からの入力信号に応じて撮影部５１を制御することにより、フォーカス、絞り、シャッタスピードなどを制御する。
【００４９】
入力部６１は、例えば、図１のモード切替ボタン３１、シャッタボタン３２、録画ボタン３３、十字キー３５、決定ボタン３６、シャトル３７などから構成され、ユーザの操作に応じた入力信号を制御部６０に供給する。
【００５０】
電源制御部６２は、制御部６０から電力の供給が指示されると、図示せぬ電池、または画像処理装置１１に接続されている外部電源から画像処理装置１１の各部に電力を供給する。例えば、ユーザが画像処理装置１１の電源をオンすると、入力部６１はユーザの操作に応じて、制御部６０に電源がオンされた旨の入力信号を供給する。すると、制御部６０は、入力部６１からの入力信号に応じて、電源制御部６２に電力の供給を指示するので、電源制御部６２は、制御部６０の指示に応じて画像処理装置１１の各部に電力を供給する。
【００５１】
ＲＯＭ６３は、各種のプログラムおよびデータを記録し、記録しているプログラムまたはデータを制御部６０に供給する。ドライブ６４には、必要に応じてリムーバブルメディア９１が装着（接続）される。ドライブ６４は、リムーバブルメディア９１が装着されると、必要に応じてリムーバブルメディア９１に記録されているデータを読み出して、制御部６０または圧縮伸張処理部５８に供給したり、制御部６０または圧縮伸張処理部５８から供給されたデータを、リムーバブルメディア９１に供給して記録させたりする。
【００５２】
リムーバブルメディア９１は、例えば、不揮発性のフラッシュメモリ、磁気ディスク、光ディスク、光磁気ディスクなどから構成され、画像処理装置１１に着脱可能とされている。リムーバブルメディア９１は、画像処理装置１１から供給された画像データ（画像ファイル）を記録する。また、リムーバブルメディア９１は、記録している画像ファイルなどの各種のデータを画像処理装置１１に供給する。
【００５３】
インタフェース６５は、例えば、ＵＳＢ（Universal Serial Bus）などの外部装置と接続するためのケーブルなどが接続され、接続先の外部装置と画像処理装置１１とのデータの授受をインタフェースするために設けられている。またインタフェース６５には、テレビジョン受像機などと所定のケーブル（ＡＶケーブルなどと称されるケーブル）も接続され、接続先のテレビジョン受像機などと、内部記録部５９やリムーバブルメディア９１に記録されている画像データの授受をインタフェースするために設けられている。
【００５４】
図３は、画像処理装置１１の機能を示す図である。画像処理装置１１は、起動時の処理を行う起動処理部１０１と、起動後の記録や再生に関する処理を行う記録再生処理部１０２を含む構成とされている。
【００５５】
起動処理部１０１は、システムチェック部１２１、接続判断部１２２、通信部１２３、マウント処理部１２４、および、アンマウント処理部１２５を含む構成とされている。記録再生処理部１０２は、撮影制御部１４１、記録制御部１４２、および、再生制御部１４３を含む構成とされている。記録制御部１４２は、内部記録制御部１５１と外部記録制御部１５２を含む構成とされている。再生制御部１４３は、内部再生制御部１６１と外部再生制御部１６２を含む構成とされている。
【００５６】
起動処理部１０１は、画像処理装置１１が起動されたとき、および、起動後の他の装置との接続状態を監視するとき（電源がオンの状態にされたとき）の処理を行う機能である。起動処理部１０１のシステムチェック部１２１は、画像処理装置１１が起動されたときに、画像処理装置１１内の各部をチェックする機能である。
【００５７】
起動処理部１０１の接続判断部１２２は、画像処理装置１１とケーブルなどを介して接続される外部装置が接続されているか否かを判断する機能である。通信部１２３は、接続されている外部装置と通信する（データの授受を行う）機能である。
【００５８】
起動処理部１０１のマウント処理部１２４は、内部記録部５９やリムーバブルメディア９１のエリアをマウントする機能である。起動処理部１０１のアンマウント処理部１２５は、内部記憶部５９のエリアをアンマウントする機能である。なお、エリアやマウント（アンマウント）については、図４を参照して後述する。また、後述するように、アンマウントの処理の対象となるのは、ここでは、内部記録部５９であり、リムーバブルメディア９１は、処理の対象とはされない。
【００５９】
記録再生処理部１０２は、静止画像や動画像を撮影し、内部記録部５９やリムーバブルメディア９１に記録する機能である。また、記録再生処理部１０２は、内部記録部５９やリムーバブルメディア９１に記録されている静止画像や動画像の画像データを読み出し、再生する機能である。
【００６０】
記録再生処理部１０２の撮影制御部１４１は、撮影部５１などを制御し、被写体の撮影を制御する。記録制御部１４２の内部記録制御部１５１は、撮影制御部１４１により撮影された被写体の画像の画像データを内部記録部５９に記録する機能である。記録制御部１４２の外部記録制御部１５２は、撮影制御部１４１により撮影された被写体の画像の画像データをリムーバブルメディア９１に記録する機能である。
【００６１】
再生制御部１４３の内部再生制御部１６１は、内部記録部５９に記録されている画像データを読み出し、再生する機能である。再生制御部１４３の外部再生制御部１６２は、リムーバブルメディア９１に記録されている画像データを読み出し、再生する機能である。
【００６２】
本発明においては、詳細は後述するが、撮影された被写体の画像の画像データは、内部記録部５９とリムーバブルメディア９１に同時に記録される。また、内部記録部５９に記録されている画像データは、所定の外部の装置に対しては供給されない（外部の装置からは閲覧、編集が行えない）ようにされている。
【００６３】
内部記録部５９には、外部の装置に対して記録しているデータを供給しないエリアと、外部の装置に対しても記録しているデータを供給するエリアとが設けられている。すなわち、図４を参照するに、内部記録部５９のエリア１８１とエリア１８２という２つのエリアが設けられている。
【００６４】
ここでは、エリア１８１は、外部の装置に対して供給しないデータが記録されるエリアであるとし、エリア１８２は、外部の装置に対しても供給するデータが記録されるエリアであるとする。換言すれば、エリア１８１に記録されているデータは、外部の装置から閲覧や編集がされることがないように保護する必要のあるデータであり、エリア１８２に記録されているデータは、外部の装置から閲覧されても、編集されても良いようなデータである。
【００６５】
このように、本実施の形態における内部記録部５９には、２つのエリアが設けられている。
【００６６】
エリア１８１と、リムーバブルメディア９１には、同一の画像が基本的に記録される。すなわち、本実施の形態においては、１度の撮影により取得された画像は、内部記録部５９のエリア１８１とリムーバブルメディア９１に記録される。
【００６７】
内部記録部５９に記録された画像は、アルバムなどと称される機能を実現するために記録される。すなわち、画像処理装置１１により撮像された被写体の画像には、どのような画像があったかを、ユーザが確認できるようになされている。
【００６８】
リムーバブルメディア９１に記録された画像は、他の装置としてのパーソナルコンピュータやプリンタなどに、適宜供給される。また、他の装置に対して供給可能なデータであるため、編集などの対象となることもある。
【００６９】
内部記録部５９に記録されている画像は、リムーバブルメディア９１に記録されている画像とは依存関係がない。すなわち、例えば、リムーバブルメディア９１に記録されている画像が、リムーバブルメディア９１から削除されても、その削除にともない、内部記録部５９に記録されている、削除された画像に対応する画像が削除されるという処理は行われない。
【００７０】
また、例えば、内部記録部５９に記録されている画像を撮影装置１１で閲覧したときに表示される画像と、リムーバブルメディア９１に記録されている画像を撮影装置１１で閲覧したときに表示される画像は、必ずしも一致していない。すなわち、リムーバブルメディア９１に記録されている画像と整合性をとるために、内部記録部５９に記録されている画像が編集されるということはないようにされている。
【００７１】
ユーザは、例えば、過去にどのような画像を撮影したかを閲覧したいときに、内部記録部５９に記録されている画像を閲覧し、実際にプリントアウトするときなどの画像を確認したいときに、リムーバブルメディア９１に記録されている画像を閲覧する。
【００７２】
このような使い分けがあるため、内部記録部５９に記録されている画像は、ユーザ側からは編集できないようにされている。ユーザ側からは編集できないようにするために、内部記録部５９のエリア１８１は、外部装置が画像処理装置１１に接続されているときには、その接続されている外部装置からは、見えないエリアとされる。
【００７３】
このような処理を行うための画像処理装置１１の動作について説明する。
【００７４】
［画像処理装置の動作について］
図５は、画像処理装置１１が起動時（電源がオンにされてから電源がオフにされるまでの間）に行う動作について説明するためのフローチャートである。ステップＳ１１において、画像処理装置１１のシステムチェック部１２１（図３）は、システムのチェックを行う。
【００７５】
ユーザが画像処理装置１１（図２）の入力部６１を操作して、画像処理装置１１の電源をオンすると、入力部６１は、ユーザの操作に応じて、制御部６０に電源がオンされた旨の入力信号を供給する。制御部６０は、入力部６１からの入力信号に応じて、電源制御部６２に電力の供給を指示する。電源制御部６２は、制御部６１から電力の供給が指示されると、画像処理装置１１の各部に電力を供給し、画像処理装置１１を起動させる。
【００７６】
このようにして、画像処理装置１１の各部に電力が供給されると、システムチェック部１２１は、画像処理装置１１内の各部が正常に動作するか否かのチェックを行う。ステップＳ１１において行われるシステムのチェックとしては、例えば、内部記録部５９や装着されているリムーバブルメディア９１に対して、データの書き込みや読み出しが可能な状態であるかなどがチェックされる。
【００７７】
ステップＳ１２において、内部記録部５９やリムーバブルメディア９１に設けられている全てのエリアに対してマウント（mount）が行われる。例えば、図４に示したように内部記録部５９にエリア１８１とエリア１８２という２つのエリアが設けられている場合、エリア１８１とエリア１８２に対してマウントが行われる。マウントとは、各エリアに記録されているファイルには、どのようなファイルが、何個記録されているかなどをチェックする、内部記録部５９やリムーバブルメディア９１などの記録媒体に対する初期化の処理である。
【００７８】
マウントについての一般的な説明を記載しておく。ファイルシステムでは、複数のファイルシステム（ディスクパーティション）デバイスを仮想的に単一のツリー構成で扱うようになっている。デバイスなどはシステムに「マウント」された時点からアクセス可能になり、「アンマウント」されるとアクセス不能になる。
【００７９】
ステップＳ１２において、記録媒体に対してマウントが行われことにより、記録媒体が装着されている（内蔵している）画像処理装置１１自体が、その記録媒体に記録されているファイルなどを閲覧することは可能であるし、画像処理装置１１に接続されている他の装置からも、その記録媒体に記録されているファイルなどを閲覧できることが可能となる。
【００８０】
ステップＳ１３において、接続判断部１２２は、外部装置と接続しているか否かを判断する。ここで、外部装置として判断されるのは、画像処理装置１１に対して、ＵＳＢなどにより接続されている画像処理装置１１以外の装置である。ＵＳＢなどにより接続される外部装置は、画像処理装置１１の内部記録部５９に記録されているファイルなどにアクセスし編集を行うことができる装置である。
【００８１】
ステップＳ１３における処理を換言すると、内部記録部５９エリア１８１に記録されているファイルなどを編集（改変）することができる装置が接続されているか否かの判断である。このような判断が行われるため、例えば、ＡＶケーブルなどと称されるケーブルでテレビジョン受像機などの外部装置が接続されているような場合、テレビジョン受像機などの外部装置は、内部記録部５９に記録されているファイルなどを編集する機能を有さないため、ステップＳ１３における処理での判断対象とはされない。
【００８２】
インタフェース６５としてＵＳＢを有しているときには、ステップＳ１３における処理は、ＵＳＢにより接続されている装置があるか否か（ＵＳＢ経由で、通信部１２３と通信を行える状態にある装置があるか否か）が、ステップＳ１３において判断される。
【００８３】
ステップＳ１３において、外部装置と接続していると判断されると、ステップＳ１４に処理が進められる。ステップＳ１４において、アンマウント処理部１２５（図３）により、隠蔽データのあるエリアがアンマウントされる。ここで、隠蔽データとは、編集などされることが好ましくないデータであり、内部記録部５９のエリア１８１に記録されているデータ（ファイルなどを含む）のことである。
【００８４】
ステップＳ１４において、アンマウントされるのは、エリア１８１である。アンマウント処理部１２５は、ステップＳ１４において、エリア１８１をアンマウントする。エリア１８１は、アンマウントされることにより、アクセスできなエリアとされる。ＵＳＢなどを介して接続されている外部装置は、アンマウントされたエリア１８１にアクセスすることができない状態になる。よって、接続されている外部装置は、エリア１８１に記録されているファイルなどを編集することはできない。
【００８５】
このように、隠蔽データが記録されているエリアをアンマウントすることにより、そのエリア自体に、アクセス自体が行えないようになるため、隠蔽データが、外部装置から編集されるようなことを防ぐことが可能となる。
【００８６】
ステップＳ１４において隠蔽データのあるエリアがアンマウントされると、ステップＳ１５において、通信部１２３（図３）により、外部装置との通信が開始される。上記したように、アンマウントされているエリア（この場合、エリア１８１）には、外部装置はアクセスできない（通信できない）ため、このステップＳ１５において通信されるのは、例えば、エリア１８２に記録されているデータや、画像処理装置１１に装着されているリムーバブルメディア９１に記録されているデータである。
【００８７】
ステップＳ１６において、外部装置との接続が解除されたか否かが判断される。接続判断部１２２は、常に、ＵＳＢなどを介して外部装置と接続されている状態であるか否かを監視している。そして、接続判断部１２２は、外部装置との接続がされたときには、上記したように、隠蔽データのあるエリアをアンマウントし、外部装置との接続が解除されたときには、アンマウントされたエリアをマウントする。
【００８８】
すなわち、ステップＳ１６において、接続判断部１２２により外部装置との接続は解除されたと判断された場合、ステップＳ１７に処理が進められ、アンマウントされていたエリア（この場合、エリア１８１）が、再マウントされる。接続判断部１２２は、外部装置との接続が解除されたと判断した場合、マウント処理部１２４に、アンマウントされているエリアをマウントし直すように指示を出す。
【００８９】
このように外部装置が接続されている状態の場合（外部装置などから記録しているデータなどが編集される可能性がある場合）、編集などの対象とされたくないデータ（隠蔽データ）が記録されているエリアがアンマウントされ、そのエリアが見えない状態にされ、外部装置が接続されていない状態の場合、隠蔽データが記録されているエリアもマウントされ、そのエリアも見える状態にされる。
【００９０】
上記したようにマウントやアンマウントが行われることにより、隠蔽データが記録されているエリアは、編集などの機能を有している外部装置は接続されていない状態でしか閲覧できないことになる。換言すれば、隠蔽データが記録されているエリアは、画像処理装置１１が単体で動作しているときに、画像処理装置１１が閲覧することは可能であり、画像処理装置１１が単体で動作していないときでも、編集などの機能を有していない外部装置が接続されている状態であれば閲覧できるようにされている。
【００９１】
ステップＳ１７において、アンマウントされていたエリアが再マウントされると、ステップＳ１８に処理が進められる。ステップＳ１８において、記録再生処理が実行される。ステップＳ１８には、ステップＳ１３において、外部装置は接続されていないと判断された場合も来る。
【００９２】
画像処理装置１１は、上記したように、画像を記録したり、再生したりする機能を有する。外部装置と接続されていないときには、画像処理装置１１は、被写体の画像を撮像し、その画像データを内部記録部５９やリムーバブルメディア９１に記録したり、内部記録部５９やリムーバブルメディア９１に記録されている画像データを再生したりする機能を有する。
【００９３】
ステップＳ１８において記録再生処理が実行されている間も、接続判断部１２２（図３）は、外部装置と接続されたか否かを監視している。すなわち、処理としては、ステップＳ１８の処理が実行されるとともに、ステップＳ１３に処理が戻され、それ以降の処理が繰り返される。
【００９４】
ステップＳ１８において実行される記録再生処理について、図６のフローチャートを参照し説明する。ステップＳ３１において、記録モードであるか否かが判断される。例えば、ユーザがモード切替ボタン３１（図１）を操作して、記録モードを選択すると、入力部６１から制御部６０に、記録モードが選択された旨の信号が供給される。制御部６０は、入力部６１から記録モードが選択された旨の信号が供給された場合、記録モードであると判断する。
【００９５】
ステップＳ３１において、記録モードであると判断された場合、ステップＳ３２に進み、記録処理が実行される。なお、記録処理の詳細は後述するが、画像処理装置１１は、記録処理において、ユーザの操作に応じて静止画像または動画像の撮影を行う。
【００９６】
一方、ステップＳ３１において、記録モードでないと判断された場合、すなわち、再生モードである場合、ステップＳ３３に進み、画像処理装置１１は再生処理を行う。なお、再生処理の詳細は後述するが、再生処理において画像処理装置１１は、撮影により得られた画像ファイル（画像データ）を基に、静止画像または動画像の再生を行う。
【００９７】
ステップＳ３２において記録処理が行われるか、またはステップＳ３３において再生処理が行われると、ステップＳ３４において、記録処理または再生処理の終了が指示されたか否かを判断する。
【００９８】
ステップＳ３４において、終了が指示されていないと判断された場合、継続して各種の処理を行うので、ステップＳ３１に戻り、上述した処理が繰り返される。
【００９９】
一方、ステップＳ３４において、終了が指示されたと判断された場合、図５のステップＳ１３に処理が戻され、それ以降の処理が繰り返される。
【０１００】
図５に示したフローチャートの処理、すなわち、電源がオンにされてからの処理は、例えば、ユーザにより電源をオフの状態にするようにとの指示が出されたときに終了される。例えば、ユーザが入力部６１（図２）を操作して、電源のオフを指示すると、入力部６１から制御部６０に、電源のオフを指示する信号が供給される。入力部６１から制御部６０に電源のオフを指示する信号が供給されると、制御部６０は、電源制御部６２に電力の供給の遮断を指示する。電源制御部６２は、制御部６０から電力の供給の遮断が指示されると、画像処理装置１１の各部への電力の供給を遮断して、画像処理装置１１の電源をオフする。
【０１０１】
このようにして、画像処理装置１１は、記録モードが選択されると、ユーザの操作に応じて画像の撮影、記録を行い、再生モードが選択されると、ユーザの操作に応じて画像の再生を行う。
【０１０２】
次に、図７のフローチャートを参照して、図６のステップＳ３２の処理に対応する記録処理について説明する。
【０１０３】
ステップＳ５１において、静止画像または動画像の撮影の待機中であるか否かが判断される。例えば、撮影する画像の画角を確認するためのスルー画像が表示部３４（図２）に表示された状態において、ユーザがシャッタボタン３２（図１）、または録画ボタン３３（図１）を操作すると、入力部６１から制御部６０に、画像の撮影を指示する信号が供給される。制御部６０は、入力部６１から画像の撮影を指示する信号が供給された場合、撮影の待機中ではない（待機状態が解除されたのではない）と判断する。
【０１０４】
ステップＳ５１において、撮影の待機中であると判断された場合、ステップＳ５２に進み、スルー画像の表示が継続される。スルー画像の表示が継続される一方で、ステップＳ５３において、制御部６０は、ユーザの操作に応じた処理を行う。例えば、ユーザの操作が電源のオフを指示していると判断されたような場合、電源をオフにする処理が実行される。
【０１０５】
一方、ステップＳ５１において、撮影の待機中でないと判断された場合、ステップＳ５４に進み、動画像の撮影中であるか否かが判断される。例えば、ユーザにより録画ボタン３３が操作されて、撮影制御部１４１が撮影部５１による被写体の撮影を制御している場合、制御部６０は、動画像の撮影中であると判断する。
【０１０６】
ステップＳ５４において、動画像の撮影中であると判断された場合、ステップＳ５５に進み、撮影制御部１４１は、継続して撮影部５１を制御し動画像の撮影を実行させる。ステップＳ５５において実行される動画像の撮影は、通常記録用の動画像である。ここで、通常記録用の動画像とは、リムーバブルメディア９１に記録される動画像であり、ユーザにより設定された圧縮率で圧縮され、ユーザが編集可能な動画像である。
【０１０７】
上述した説明に合わせると、通常記録用の動画像とは、編集機能を有する外部装置が接続されたときに、その外部装置が閲覧したり、編集したりすることができる動画像である。
【０１０８】
なお、後述するように、例えば、ステップＳ５９において、通常記録用の静止画像の撮影が制御されるが、この通常記録用の静止画像も、通常記録用の動画像と同じ意味を有し、すなわち、外部装置が閲覧したり、編集したりすることができる静止画像として設定されていることを意味する。
【０１０９】
通常記録用の動画像の撮影について、図２を参照して説明する。撮影部５１は、被写体を撮影して電圧信号を生成し、これを画像信号としてＡＤ変換部５２を介して信号処理部５５に供給する。また、マイクロフォン５３は、周囲の音声を集音し、集音した音声を電気信号である音声信号に変換し、ＡＤ変換部５４を介して信号処理部５５に供給する。
【０１１０】
信号処理部５５は、撮影制御部１４１の制御の基に、ＡＤ変換部５２から供給された画像信号、およびＡＤ変換部５４から供給された音声信号に対して、必要に応じてガンマ補正処理などの所定の処理を施して、動画像データおよび音声データを生成し、ＲＡＭ５６を介して圧縮伸張処理部５８に供給する。
【０１１１】
圧縮伸張処理部５８は、記録制御部１４２の制御を基に、ＲＡＭ５６から供給された動画像データを、ＭＰＥＧ（Moving Picture Expert Group）２などの方式により圧縮し、圧縮された動画像データを生成するとともに、ＲＡＭ５６から供給された音声データを、ＡＡＣ（Advanced Audio Coding）などの方式により圧縮し、圧縮された音声データを生成する。
【０１１２】
圧縮伸張処理部５８は、動画像データを圧縮する際、ユーザにより設定されている圧縮率になるように、圧縮処理を行う。換言すれば、ユーザは、リムーバブルメディア９１に通常記録用の動画像として動画像を記録させるとき、所望の圧縮率を選択（設定）できるように、画像処理装置１１は構成されている。
【０１１３】
圧縮伸張処理部５８は、生成した動画像データにより表示される動画像から所定の静止画像を抽出してサムネイル画像データを生成する。このサムネイル画像は、ユーザが、例えば、リムーバブルメディア９１に記録されている動画像には、どのような動画像があるのかを調べたいときなどに、参照されるものである。
【０１１４】
圧縮伸張処理部５８は、生成した動画像データ、音声データ、およびサムネイル画像データをリムーバブルメディア９１に供給する。以下、リムーバブルメディア９１に記録される動画像データ、音声データ、およびサムネイル画像データをまとめて、動画像ファイルと記述する（動画像ファイルには、動画像データ、音声データ、およびサムネイル画像データが含まれているとして説明を続ける）。
【０１１５】
ステップＳ５６において、外部記録制御部１５２（図３）は、動画像ファイルがリムーバブルメディア９１に記録されるように記録を制御する。
【０１１６】
このように、通常記録用の動画像ファイルが生成され、リムーバブルメディア９１に記録される一方で、ステップＳ５７において、アルバム用の動画像の撮影も制御される。ここで、アルバム用の動画像とは、内部記録部５９のエリア１８１（図４）に記録される動画像であり、予め設定されている圧縮率（ユーザにより設定された圧縮率ではない圧縮率）で圧縮され、ユーザが編集不可能な動画像である。
【０１１７】
上述した説明に合わせると、アルバム用の動画像とは、編集機能を有する外部装置が接続されたときに、その外部装置が閲覧したり、編集したりすることができない動画像である。
【０１１８】
また、アルバム用の動画像とは、ユーザが、例えば、画像処理装置１１で過去に撮影した動画像にはどのようなものがあるかなどを検索するような場合に閲覧される動画像であり、アルバムなどと称される機能を実現するための動画像である。
【０１１９】
なお、後述するように、例えば、ステップＳ６１において、アルバム用の静止画像の撮影が制御されるが、このアルバム用の静止画像も、アルバム用の動画像と同じ意味を有し、すなわち、外部装置が閲覧したり、編集したりすることができない静止画像として設定されていることを意味する。
【０１２０】
アルバム用の動画像の撮影は、基本的に、通常記録用の動画像の撮影と同様な処理で行われる。ただし、アルバム用の動画像は、基本的に、通常記録用の動画像より記録容量が小さなデータとされるため（換言するならば、上述したように、予め設定されている圧縮率になるように圧縮処理が行われるため）、通常記録用の動画像の撮影の制御に対して、圧縮処理が行われる部分が、通常記録用の動画像の制御と異なる。このことについて、図８を参照して説明する。
【０１２１】
図８は、通常記録用の動画像とアルバム用の動画像を比較するために、通常記録用の動画像のビデオフレームとアルバム用のビデオフレームを並列的に図示した図である。図８図中、左側のビデオフレーム列は、通常記録用の動画像のビデオフレーム列を示し、図８図中、右側のビデオフレーム列は、アルバム用の動画像のビデオフレーム列を示している。
【０１２２】
図中の“ｔ”は、所定の時間を表している。すなわち、０ｔから１ｔの間は、ｔ時間だけ経過し、１ｔから２ｔの間も、ｔ時間だけ経過し、２ｔから３ｔの間も、ｔ時間だけ経過するということを意味している。
【０１２３】
通常記録用の動画像のビデオフレーム列において、時間ｔだけ経過する毎に、通常記録用の動画像のビデオフレームが抽出され、その抽出されたビデオフレームが、アルバム用の動画像のビデオフレーム例を構成するためのビデオフレームとされる。すなわち、通常記録用の動画像から、所定のタイミングで抽出されるビデオフレームによりアルバム用の動画像が生成される。
【０１２４】
このような生成が行われるように、内部記録制御部１５１（図３）は、アルバム用の動画像の撮影を制御する。そして、内部記録制御部１５１は、ステップＳ５８（図７）において、生成されたアルバム用の動画像ファイルが、内部記録部５９のエリア１８１に記録されるように制御を行う。このようにして、内部記録部５９のエリア１８１にアルバム用の動画像が記録される。
【０１２５】
このように、１度の撮影において、内部記録部５９とリムーバブルメディア９１に、それぞれ動画像が記録される。また、内部記録部５９とリムーバブルメディア９１にそれぞれ記録される動画像は、異なる圧縮率である（ただし、通常記録用の動画像の圧縮率は、ユーザが設定できるように構成されており、その設定によっては、同一の圧縮率になる可能性がある（なっても良い）。しかしながら、図８を参照して説明したように、通常記録用の動画像から生成するようにした場合、常に、通常記録用の動画像より、アルバム用の動画像の方が、圧縮率が高い（すなわち、データ量が小さい）動画像とされる）。
【０１２６】
このようにして、動画像の記録が行われると、ステップＳ５３に処理が進められる。ステップＳ５３の処理については既に説明したので、ここではその説明を省略する。
【０１２７】
ステップＳ５４において、動画像の撮影中でないと判断された場合、ステップＳ５９に処理が進められる。ステップＳ５９において、通常記録用の静止画像の撮影が制御される。ユーザが、シャッタボタン３２（図１）を操作すると、入力部６１から制御部６０に、静止画像の撮影を指示する信号が供給される。入力部６１から制御部６０に静止画像の撮影を指示する信号が供給されると、撮影制御部１４１は、撮影部５１に被写体を撮影させる。
【０１２８】
撮影部５１は、撮影制御部１４１の制御を基に、被写体を撮影して画像信号を生成し、ＡＤ変換部５２、信号処理部５５を介して、ＲＡＭ５６に供給する。圧縮伸張処理部５８は、記録制御部１４２の制御の基に、ＲＡＭ５６から供給された静止画像データを、ＪＰＥＧ（Joint Photographic Experts Group）などの方式に従って圧縮して、圧縮された静止画像データを生成する。さらに、圧縮伸張処理部５８は、生成した静止画像データを基に、サムネイル画像データを生成して、生成した静止画像データおよびサムネイル画像データを、リムーバブルメディア９１に供給する。
【０１２９】
以下、リムーバブルメディア９１に記録される静止画像データとサムネイル画像データをまとめて、静止画像ファイルと記述する（静止画像ファイルには、静止画像データとサムネイル画像データが含まれているとして説明を続ける）。
【０１３０】
ステップＳ６０において、外部記録制御部１５２（図３）は、静止画像ファイルがリムーバブルメディア９１に記録されるように記録を制御する。
【０１３１】
このように、通常記録用の静止画像ファイルが生成され、リムーバブルメディア９１に記録される一方で、ステップＳ６１において、アルバム用の静止画像の撮影も制御される。上記したように、通常記録用の静止画像やアルバム用の静止画像とは、通常記録用の動画像やアルバム用の動画像と同一の意味合いを有し、外部装置に対して提示可能な静止画像であるか否かの違いがある。
【０１３２】
すなわち、通常記録用の静止画像は、ユーザにより設定された圧縮率で圧縮され、リムーバブルメディア９１に記録され、外部の装置から閲覧されたり、編集されたりする静止画像であるが、アルバム用の静止画像は、予め設定されている圧縮率により圧縮され、内部記録部５９のエリア１８１（図４）に記録され、外部の装置から閲覧されたり、編集されたりすること無く保護される静止画像である。
【０１３３】
ステップＳ６１において、予め設定されている圧縮率で、静止画像データが生成されると、ステップＳ６２において、内部記録部５９に記録される。
【０１３４】
静止画像の場合も、動画像と同様に、１回の撮影において、異なる圧縮率の静止画像が、内部記録部５９とリムーバブルメディア９１に、それぞれ記録される。
【０１３５】
このようにして、静止画像の記録が行われると、ステップＳ５３に処理が進められる。ステップＳ５３の処理については既に説明したので、ここではその説明を省略する。
【０１３６】
このようにして、動画像または静止画像の記録処理が実行される。このようにして、内部記録部５９とリムーバブルメディア９１に、それぞれ、同一の画像のデータが記録される。記録される際、上記したように、内部記録部５９に記録されるデータのデータ量の方が、リムーバブルメディア９１に記録されるデータのデータ量より小さくなるようにすれば、内部記録部５９には、リムーバブルメディア９１よりも多くのデータを記録させることが可能となる。
【０１３７】
なお、ここでは、内部記録部５９とリムーバブルメディア９１との２つの記録媒体に、それぞれ画像データが記録されるとして説明したが、さらに複数の記録媒体に、同時に記録されるようにしても良い。また、複数の記録媒体に画像データを記録する際、記録先の記録媒体毎に、異なるデータ量になるように、圧縮などの処理が画像データに施されるようにしても良い。
【０１３８】
なお、上述した記録処理においては、撮影された動画像または静止画像が、内部記録部５９とリムーバブルメディア９１に異なるデータ量で記録されるとしたが、異なる圧縮方式に基づき圧縮され、記録されるようにしても良い。
【０１３９】
ところで、図７を参照して説明した記録処理によれば、内部記録部５９に、動画像や静止画像が次々と記録されることになる。しかしながら、内部記録部５９は、有限な記録容量を有する記録媒体で構成されているため（エリア１８１の記録容量は有限なため）、無限に動画像や静止画像を記録できるわけではない。よって、ステップＳ５８やステップ６２において、内部記録部５９に動画像や静止画像が記録される際、エリア１８１に、記録される動画像や静止画像を記録するための容量が空いていないことがある。
【０１４０】
そこで、ステップ５８やステップＳ６２における処理として、記録前に、削除という処理が行われるようにしても良い。削除について図９を参照して説明する。図９Ｂに示すように、エリア１８１に画像ファイル１乃至５が記録されている状態のとき、図９Ａに示した画像ファイル６が追加記録されるときを例にあげて説明する。
【０１４１】
図９Ｂにおいて、画像ファイル１乃至５は、画像ファイル１、画像ファイル２、画像ファイル３、画像ファイル４、画像ファイル５の順に撮影され、記録された画像ファイルである。すなわち、画像ファイル１が、時間的に最も古いファイルである。画像ファイル６は、画像ファイル１乃至５が記録されている状態のエリア１８１の残り容量よりも大きい容量であるため、エリア１８１に記録されているファイルを削除しなくては画像ファイル６を記録することができない状態である。
【０１４２】
そこで、時間的に最も古い画像ファイル１が削除される。画像ファイル１が削除されることにより、画像ファイル６を記録するだけの容量が、エリア１８１に確保されると、画像ファイル６が、エリア１８１に追加記録される（図９Ｃに示した状態）。仮に、画像ファイル１が削除されただけでは、画像ファイル６を記録するだけの容量がエリア１８１に確保できなかったような場合、画像ファイル１の次に古い画像ファイル２も削除される。
【０１４３】
このように、新たに記録される画像ファイルの容量が、少なくとも確保されるまで、既にエリア１８１に記録されている画像ファイルが、時間的に古い順に削除される。
【０１４４】
なお、エリア１８１に記録されている画像ファイルに対しては、基本的に編集などの処理が行えないように構成されているが、例えば、上記したような処理における削除対象とされないように保護機能を設けられるようにして良い。例えば、図９Ｂにおいて、画像ファイル１が保護対象とユーザにより設定されていた場合、画像ファイル６が記録されるときに、本来ならば、時間的に最も古い画像ファイル１が削除対象とされ、削除されるが、保護されているために、削除されない。
【０１４５】
そして、保護対象とされていない画像ファイル２が削除対象とされ、削除される。このように、保護対象とされていない画像ファイルが削除されるようにしても良い。
【０１４６】
このように、内部記録部５９やリムーバブルメディア９１に記録された画像ファイルは、再生され、ユーザ側に提供される。ユーザ側に提示されるとき、内部記録部５９のエリア１８１に記録されている画像ファイルは、アルバム的な用い方ができるようにされていると上述した。アルバム的な用い方とは、過去に撮影した画像を、ユーザが順次閲覧できることを意味している。順次閲覧できるとは、ここでは、日付順に、例えば、撮影された日時が古い方から順に画像を閲覧できることを意味する。
【０１４７】
日付順に、画像を閲覧できるようにするために、内部記録部５９のエリア１８１には、図１０に示すようなファイル構造（データ構造）で、画像ファイルが記録されている。図１０に示すように、画像ファイルは、動画像フォルダまたは静止画像フォルダに格納されて記録される。
【０１４８】
図１０では、内部記録部５９（図２）には、動画像ファイルを格納して記録するための動画像フォルダ２０１、および静止画像ファイルを格納して記録するための静止画像フォルダ２０２が記録されている。
【０１４９】
また、動画像フォルダ２０１には、動画像ファイルおよび静止画像ファイルを管理するためのプロパティファイル２０３、および動画像ファイルが格納されるサブフォルダ２０４が格納されている。そして、サブフォルダ２０４には、動画像ファイル２０５−１および動画像ファイル２０５−２が格納されている。
【０１５０】
以下、動画像ファイル２０５−１および動画像ファイル２０５−２を個々に区別する必要のない場合、単に動画像ファイル２０５と称する。動画像ファイル２０５は、図７のステップＳ５７，Ｓ５８の処理により作成、記録されるファイルである。
【０１５１】
また、静止画像フォルダ２０２には、静止画像ファイルを格納するためのサブフォルダ２０６−１およびサブフォルダ２０６−２が格納されている。サブフォルダ２０６−１には、静止画像ファイル２０７−１乃至静止画像ファイル２０７−５が格納されており、サブフォルダ２０６−２には、静止画像ファイル２０７−６および静止画像ファイル２０７−７が格納されている。
【０１５２】
なお、以下、サブフォルダ２０６−１およびサブフォルダ２０６−２を個々に区別する必要のない場合、単にサブフォルダ２０６と称する。また、以下、静止画像ファイル２０７−１乃至静止画像ファイル２０７−７のそれぞれを個々に区別する必要のない場合、単に静止画像ファイル２０７と称する。静止画像ファイル２０７は、図７のステップＳ６１，Ｓ６２の処理により作成、記録されるファイルである。
【０１５３】
また、プロパティファイル２０３には、内部記録部５９の仮想的なディレクトリ構造を示す情報が含まれている。プロパティファイル２０３は、動画像ファイル２０５または静止画像ファイル２０７が内部記録部５９に記録されるたびに内部記録制御部１５１（図３）の処理により更新される。
【０１５４】
すなわち、このようなプロパティファイル２０３が設けられた場合、ステップ５８やステップＳ６２において、内部記録制御部１５１が、アルバム用の動画像ファイル（動画像ファイル２０５）や静止画像ファイル（静止画像ファイル２０７）を記録する制御を行うときに、プロパティファイル２０３を更新するという処理も実行する。
【０１５５】
例えば、内部記録制御部１５１は、動画像ファイル２０５または静止画像ファイル２０７が新たに内部記録部５９に記録されると、記録された動画像ファイル２０５または静止画像ファイル２０７に含まれている情報（Exif情報など）を参照して、内部記録部５９に記録されているプロパティファイル２０３を更新する。
【０１５６】
このように、図１０に示したディレクトリ構造においては、プロパティファイル２０３が設けられ、動画像フォルダ２０１に動画像ファイル２０５が格納され、静止画像フォルダ２０２に静止画像ファイル２０７が格納されるとして説明した。プロパティファイル２０３は、以下に説明するように、例えば、撮影された日付順（日付毎）に、画像ファイルが管理されるような仮想的なディレクトリ構造を有する情報を管理する。
【０１５７】
仮想的なディレクトリ構造を示す情報が含まれるプロパティファイル２０３を設けるようにすれば、図１０に示したように、動画像フォルダ２０１に動画像ファイル２０５が格納され、静止画像フォルダ２０２に静止画像ファイル２０７が格納されるというような規則的な管理が行われなくても、プロパティファイル２０３を参照するだけで、規則的に、画像ファイルを管理することが可能となる。
【０１５８】
例えば、動画像ファイル２０５や静止画像ファイル２０７を１つのフォルダで管理するようにしても、プロパティファイル２０３を参照することにより、日付順に並び変えたり、動画像ファイル２０５や静止画像ファイル２０７だけに分類したりするといった処理が可能となる。よって、以下の説明においては、図１０に示したようなディレクトリ構成を有するとして説明を続けるが、動画像フォルダ２０１や静止画像フォルダ２０２を設けない（単に、フォルダとして設ける）ようにしたり、１つのフォルダだけで、動画像ファイル２０５や静止画像ファイル２０７が管理されるようにしたりするようにしても良い。
【０１５９】
プロパティファイル２０３は、所定のフォルダに記録されている画像ファイルを管理する管理ファイルとして用いることができる。
【０１６０】
プロパティファイル２０３には、図１１に示される、仮想的なディレクトリ構造を示す情報が含まれている。なお、図１１において、図１０における場合と対応する部分には同一の符号を付してあり、その説明は適宜省略する。
【０１６１】
図１１では、ルートフォルダ２２１に日付ルートフォルダ２２２が格納されており、さらに、日付ルートフォルダ２２２には、日付フォルダ２２３−１乃至日付フォルダ２２３−４が格納されている。日付フォルダ２２３−１乃至日付フォルダ２２３−４のそれぞれには、フォルダ名として所定の日付が付されており、日付フォルダ２２３−１乃至日付フォルダ２２３−４は、フォルダ名により示される日付順に並べられて格納されている。
【０１６２】
動画像ファイル２０５または静止画像ファイル２０７は、動画像ファイル２０５または静止画像ファイル２０７の撮影日時と同じ日付がフォルダ名として付された日付フォルダに格納されて記録される。
【０１６３】
日付フォルダ２２３−１には、静止画像ファイル２０７−１が格納されている。また、日付フォルダ２２３−２には、動画像ファイル２０５−１、静止画像ファイル２０７−２、および静止画像ファイル２０７−３が撮影日時順に並べられて格納されている。
【０１６４】
日付フォルダ２２３−３には、静止画像ファイル２０７−５、および動画像ファイル２０５−２が撮影日時順に並べられて格納されており、日付フォルダ２２３−４には、静止画像ファイル２０７−４、静止画像ファイル２０７−６、および静止画像ファイル２０７−７が撮影日時順に並べられて格納されている。
【０１６５】
例えば、日付フォルダ２２３−３のフォルダ名が、２００５年８月１日を示す“2005．08.01”であり、動画像ファイル２０５および静止画像ファイル２０７のうち、撮影日時により示される撮影日が２００５年８月１日である動画像ファイル２０５または静止画像ファイル２０７が、静止画像ファイル２０７−５および動画像ファイル２０５−２である場合、日付フォルダ２２３−３には、静止画像ファイル２０７−５および動画像ファイル２０５−２が格納される。
【０１６６】
以下、日付フォルダ２２３−１乃至日付フォルダ２２３−４のそれぞれを個々に区別する必要のない場合、単に日付フォルダ２２３と称する。
【０１６７】
なお、図１１では、プロパティファイル２０３（図１０）に含まれる、仮想的なディレクトリ構造を示す情報として、動画像ファイル２０５および静止画像ファイル２０７が日付毎に日付フォルダ２２３に仮想的に格納される例について説明したが、プロパティファイル２０３には、日付フォルダ２２３に限らず、露出値毎のフォルダや、GPSにより取得される位置情報毎のフォルダなどに格納されている仮想的なディレクトリ構造を示す情報が含まれるようにしてもよく、プロパティファイル２０３に複数の仮想的なディレクトリ構造を示す情報が含まれるようにしてもよい。
【０１６８】
また、プロパティファイル２０３には、仮想的なディレクトリ構造を示す情報が含まれると説明したが、これに限らず、内部記録部５９に記録されている各画像ファイルのファイル名、露出値、撮影日時、GPSにより取得される位置情報などを示す情報が互いに関連付けられてプロパティファイル２０３に含まれるようにしてもよい。
【０１６９】
このように、図１０に示した動画像フォルダ２０１には、仮想的なディレクトリ構造を示す情報が含まれるプロパティファイル２０３が格納されて記録されている。これにより、画像処理装置１１は、プロパティファイル２０３を参照することによって、内部記録部５９に記録されている動画像ファイル２０５および静止画像ファイル２０７のうち、所定の日に撮影された動画像ファイル２０５または静止画像ファイル２０７などの、所定の条件を満たす動画像ファイル２０５または静止画像ファイル２０７を容易に検索（閲覧）することができる。
【０１７０】
このようにプロパティファイル２０３を設けることにより、後述するように、内部記録部５９のエリア１８１に記録されている画像を再生させる際（再生させる画像を選択（検索）する際）、例えば、日付順に画像を表示させることができるようになる。すなわち、例えば、画像処理装置１１で撮影された画像を古い順に表示させることができ、アルバム的に用いることが可能となる。
【０１７１】
内部記録部５９のエリア１８１に記録されるデータは、上記しているように、アルバム的に用いることができるデータであり、データの編集を行える機能を有する外部装置が接続されたときには、その外部装置からは見えないエリアに記録されているデータである。これに対し、リムーバブルメディア９１に記録されているデータは、データの編集を行える機能を有する外部装置が接続されたときには、その外部装置からでも見えるエリアに記録されているデータである。
【０１７２】
また、リムーバブルメディア９１は、画像処理装置１１に対して着脱可能な記録媒体であるため、画像処理装置１１から外され、プリンタなどの印刷装置や、パーソナルコンピュータなどに装着される場合がある。そのような場合、印刷装置などの画像処理装置１１とは異なる装置が、装着されたリムーバブルメディア９１に記録されている画像ファイルを認識できるように、リムーバブルメディア９１に記録される画像ファイルは、例えば、DCF（Design rule for Camera File system）などの一般的に用いられている規格に基づいて記録されることが望ましい。
【０１７３】
ステップＳ５５の処理により生成された動画像ファイルや、ステップＳ５９の処理により生成された静止画像ファイルなどの画像ファイルが、ステップＳ５６またはステップＳ６０の処理により、リムーバブルメディア９１に供給されて記録される場合、それらの画像ファイルは、DCFなどの規格に基づいて記録される。図１２に示したようにリムーバブルメディア９１に記録される画像ファイルは、動画像フォルダまたは静止画像フォルダのそれぞれ対応するフォルダに格納されて記録される。
【０１７４】
図１２では、リムーバブルメディア９１（図２）には、動画像ファイルを格納して記録するための動画像フォルダ２５１、および静止画像ファイルを格納して記録するための静止画像フォルダ２５２が記録されている。
【０１７５】
また、動画像フォルダ２５１には、動画像ファイルが格納されるサブフォルダ２５３が格納されている。そして、サブフォルダ２５３には、動画像ファイル２５４−１および動画像ファイル２５４−２が撮影された順に並べられて格納されている。以下、動画像ファイル２５４−１および動画像ファイル２５４−２を個々に区別する必要のない場合、単に動画像ファイル２５４と称する。
【０１７６】
静止画像フォルダ２５２には、静止画像ファイルを格納するためのサブフォルダ２５５−１およびサブフォルダ２５５−２が格納されている。サブフォルダ２５５−１には、静止画像ファイル２５６−１乃至静止画像ファイル２５６−５が撮影された順に並べられて格納されており、サブフォルダ２５５−２には、静止画像ファイル２５６−６および静止画像ファイル２５６−７が撮影された順に並べられて格納されている。
【０１７７】
なお、以下、サブフォルダ２５５−１およびサブフォルダ２５５−２を個々に区別する必要のない場合、単にサブフォルダ２５５と称する。また、以下、静止画像ファイル２５６−１乃至静止画像ファイル２５６−７のそれぞれを個々に区別する必要のない場合、単に静止画像ファイル２５６と称する。
【０１７８】
このように、画像ファイルが記録されている内部記録部５９のエリア１８１またはリムーバブルメディア９１から画像ファイルを読み出し、再生する際の処理について説明する。すなわち、図６のステップＳ３１において、画像処理装置１１がオンの状態にされているときに、記録モードではないと判断され、ステップＳ３３に処理が進められたときの処理について説明する。
【０１７９】
図１３、図１４は、ステップＳ３３において実行される再生処理について説明するためのフローチャートである。ステップＳ８１において、再生モードに設定されたと判断されると、リムーバブルメディア９１に記録されている画像の一覧表示画面が表示部３４（図２）に表示される。
【０１８０】
例えば、ユーザが入力部６１（図２）を操作して、再生モードに設定すると、外部再生制御部１６２（図３）は、入力部６１からの入力信号に応じて、リムーバブルメディア９１に記録されている画像ファイルに含まれているサムネイル画像データを取得し、取得したサムネイル画像データを基に、一覧表示画面を表示させるための画像データを生成する。外部再生制御部１６２は、一覧表示画面を表示させるための画像データを表示部３４に供給し、一覧表示画面を表示させる。
【０１８１】
なお、ここでは、再生モードに設定されたときには、デフォルトとして、リムーバブルメディア９１に記録されている画像の一覧が表示されるとして説明を続ける。この場合、画像データは、内部記録部５９とリムーバブルメディア９１という、２つの異なる記録媒体に記録されているため、再生も、これらの２つの記録媒体に記録されている画像データを、それぞれ再生できるようになっている。よって、ユーザにより、再生される画像データが記録されている記録媒体が選択されるようにしても良いし、デフォルトして、複数の記録媒体のうちの１つの記録媒体が選択され、再生される（もちろん、一旦再生が開始された後に、再生対象とされる記録媒体をユーザ側で変更できるようには構成される）ようにしても良い。
【０１８２】
図１５Ａは、表示部３４に表示されるリムーバブルメディア９１に記録されている画像の一覧表示画面の一例を示す図である。図１５Ａに示した一覧表示画面３０１には、サムネイル画像３０２−１乃至３０２−９が表示されている。なお、図１５Ａでは、９枚のサムネイル画像が表示される例を示したが、１６枚のサムネイル画像が表示されるなど、その枚数は何枚に設定されていても良い。また、一覧表示画面３０１などの表示は、図１２に示したディレクトリ構造を有するリムーバブルメディア９１が参照されて行われため、その表示（再生）は、画像データが記録された順番（撮影された順番）に基づいて行われる。
【０１８３】
一覧表示画面３０１には、サムネイル画像３０２を選択するためのカーソル３０３も表示されている。さらに、一覧表示画面３０１の左側には、表示しきれていないサムネイル画像を表示させるときに操作されるスクロールバー３０４も表示されている。
【０１８４】
ステップＳ８１において、このような一覧表示画面３０１が表示されると、ステップＳ８２において、拡大表示が指示されたか否かが判断される。拡大表示とは、一画面に表示されるサムネイル画像の枚数が少なくなり、表示されるサムネイル画像の大きさが大きく表示される（すなわち拡大表示される）ことである。
【０１８５】
図１５Ｂは、拡大表示された一覧表示画面の一例を示す図である。図１５Ｂに示した一覧表示画面３１１においては、サムネイル画像３０２−１’，３０２−２’，３０２−４’、および３０２−５’が表示されている例を示している。図１５Ｂに示した一覧表示画面３１１は、図１５Ａに示した一覧表示画面３０１でカーソル３０３が、サムネイル画像３０２−１上に位置するときに、拡大表示が指示されたときに表示される画面である。
【０１８６】
このような場合、図１５Ａの一覧表示画面３０１に表示されているサムネイル画像３０２−１，３０２−２，３０２−４、および３０２−５が拡大表示されることにより、図１５Ｂの一覧表示画面３１１のサムネイル画像３０２−１’，３０２−２’，３０２−４’、および３０２−５’が表示されている。なお、図１５Ｂにおいて、サムネイル画像３０２−１’との表記のダッシュ（’）は、サムネイル画像３０２−１と同一の画像であるが、拡大されている画像である（表示領域の大きさが異なる）ことを示すために、付したものである。
【０１８７】
図１３のフローチャートの説明に戻り、ステップＳ８２において、拡大表示が指示されたと判断された場合、ステップＳ８３に処理が進められ、拡大表示が行われる。すなわち、図１５Ａに示したような一覧表示画面３０１から、図１５Ｂに示したような一覧表示画面３１１に、表示部３４の表示が切り替えられる。
【０１８８】
拡大表示の指示は、例えば、十字キー３５が操作されることにより出される。ユーザは、例えば、十字キー３５−２または十字キー３５−４を操作することにより、拡大表示の指示を出せるようにされている。
【０１８９】
一方、ステップＳ８２において、拡大表示は指示されていないと判断された場合、ステップＳ８４に処理が進められる。ステップＳ８４において、決定が指示されたか否かが判断される。決定の指示は、例えば、決定ボタン３６が操作されることにより行われる。決定ボタン３６が操作されると、その時点で、カーソル３０３が位置している画像が、１枚表示される。１枚表示とは、表示部３４の表示領域に、１枚の画像のみが表示されることを意味する。
【０１９０】
例えば、一枚表示とは、図１５Ｃに示すように、一枚表示画面３２１として表示されている画像が、画像３０２―１”だけの状態であるような表示のことである。図１５Ｃにおいては、図１５Ａの一覧表示画面３０１に表示されているサムネイル画像３０２−１、または、図１５Ｂの一覧表示画面３１１に表示されているサムネイル画像３０２−１’に、カーソル３０３が位置しているときに、決定ボタン３６が操作されたために、画像３０２−１”が１枚表示されている。
【０１９１】
このように、ステップＳ８４において、決定ボタン３６が操作されたと判断されると、ステップＳ８５において、その時点で、カーソル３０３が表示されているサムネイル画像に対応する画像が、１枚表示される。このようにして、表示部３４に１枚だけ画像が表示されると、例えば、図１５Ａや図１５Ｂの表示状態に戻り、新たな画像が選択されることが考えられる。そこで、ステップＳ８６において、縮小された一覧表示画面の表示が指示されたか否かが判断される。縮小された一覧表示画面とは、一覧表示画面３０１または一覧表示画面３１１である。
【０１９２】
ステップＳ８６において、縮小された一覧表示画面の表示が指示されたと判断された場合、ステップＳ８３に戻り、それ以降の処理が繰り返される。一方、ステップＳ８６において、縮小された一覧表示画面の表示は指示されていないと判断された場合、ステップＳ８７に処理が進められる。
【０１９３】
ステップＳ８７への処理には、ステップＳ８４において、決定はされていないと判断されたときにもくる。ステップＳ８７において、内部記録部５９のエリア１８１に記録されている画像の再生が指示されたか否かが判断される。ステップＳ８７において、内部記録部５９のエリア１８１に記録されている画像の再生は指示されていないと判断された場合、ステップＳ８８に処理が進められる。
【０１９４】
ステップＳ８８において、カーソル３０３が移動される。ステップＳ８８に処理が来るときには、表示部３４の画面は、図１５Ａ、図１５Ｂ、または、図１５Ｃのようなときである。図１５Ａや図１５Ｂの画面、すなわち、複数のサムネイル画像が表示されている一覧表示画面３０１や一覧表示画面３１１の画面のときには、カーソル３０３が、ユーザにより指示されたサムネイル画像上に移動される。例えば、図１６Ａに示したように、一覧表示画面３０１のサムネイル画像３０２−１上にカーソル３０３が位置しているときに、ステップＳ８８の処理が行われた場合、図１６Ｂに示すように、サムネイル画像３０２−２上にカーソル３０３が移動される。
【０１９５】
また、図１５Ｃの画面、すなわち、１枚の画像が表示されている一枚表示の画面のときには、例えば、時間的に前または後に位置する画像（例えば、一覧表示画面３０１の画面において、隣に位置する画像（例えば、図１６Ａのサムネイル画像３０２−１とサムネイル画像３０２−２のような関係にある画像））であり、ユーザに指示された画像に表示が切り替えられる（カーソル３０３が移動したことに相当する）。
【０１９６】
ステップＳ８８の処理が終了されると、ステップＳ８２に処理が進められ、それ以降の処理が繰り返される。
【０１９７】
一方、ステップＳ８７において、内部記録部５９のエリア１８１（以下、単に内部記録部５９と記述する）に記録されている画像の再生が指示されたと判断された場合、ステップＳ８９（図１４）に処理が進められる。
【０１９８】
ステップＳ８９において、内部記録部５９に記録されている画像の一覧表示画面が表示部３４に表示される。ステップＳ８９乃至Ｓ９６の処理は、内部記録部５９に記録されている画像の再生であり、内部再生制御部１６１（図３）により実行される。
【０１９９】
ここで、内部記録部５９に記録されている画像の一覧表画面と、その一覧表示画面から１枚表示までの画面の遷移について、図１７Ａ乃至図１７Ｃを参照して説明する。
【０２００】
図１７Ａは、内部記録部５９に記録されている画像の一覧表示画面の一例を示す図である。図１７Ａに示したように、内部記録部５９に記録されている画像の一覧表示画面３３１は、リムーバブルメディア９１に記録されている画像の一覧表示画面３１１（図１５Ａ）と異なる。
【０２０１】
具体的には、図１７Ａに示した一覧表示画面３３１には、サムネイル画像３３２−１乃至３３２−５、サムネイル画像３３３−１乃至３３３−３といったサムネイル画像だけでなく、一覧表示画面３３１の左側には、日付が表示される日付表示部３３５−１，３３５−２も表示されている。また、一覧表示画面３３１には、サムネイル画像を選択するためのカーソル３３４も表示されている。さらに、表示されてないサムネイル画像を表示させるときに操作されるスクロールバー３３６も一覧表示画面３３１の右側に表示されている。
【０２０２】
このように、内部記録部５９に記録されている画像の一覧表示画面が表示されるときには、日付毎にサムネイル画像が分類された状態で表示される。内部記録部５９は、図１０に示したようなデータ構造で、画像ファイルを管理している。内部記録部５９は、プロパティファイル２０３を管理している。プロパティファイル２０３は、上記したように、例えば、画像が撮影された日付毎に、画像ファイルを管理しているため、このプロパティファイル２０３を参照することにより、日付毎にサムネイル画像を一覧表示することが可能である。
【０２０３】
図１７Ａを参照するに、「’０５  ＪＡＮ」には、サムネイル画像３３２−１乃至３３２−５が属し、「ＦＥＢ」には、サムネイル画像３３３−１乃至３３３−３が属している。すなわち、この場合、「’０５  ＪＡＮ」（２００５年の１月を意味する）には、サムネイル画像３３２−１乃至３３２−５が撮影され、「ＦＥＢ」（表示は省略されているが、’０５  ＦＥＢのことであり、２００５年の２月を意味する）に撮影されたのは、サムネイル画像３３３−１乃至３３３−３である。
【０２０４】
この一覧表示画面３３１に表示されるサムネイル画像は、例えば、同一の日に撮影された画像の内の１枚の画像に対応するサムネイル画像である。一覧表示画面３３１は、このように、月毎に、サムネイル画像を分類し、表示する。このような一覧表示画面３３１から１枚のサムネイル画像が選択されると、図１７Ｂに示したような一覧表示画面３５１に表示部３４の表示が切り替えられる。
【０２０５】
一覧表示画面３５１は、選択されたサムネイル画像が撮影された日に、撮影された画像のサムネイル画像を一覧表示する画面である。例えば、図１７Ａに示した一覧表示画面３３１のサムネイル画像３３２−１上に、カーソル３３４が位置しているときに、決定ボタン３６（図１）が操作されると、そのサムネイル画像３３２−１を含み、そのサムネイル画像３３２−１が撮影された日に撮影された画像の一覧が、一覧表示画面３５１として表示される。
【０２０６】
すなわち、図１７Ａに示した一覧表示画面３３１は、月毎に、サムネイル画像が分類されて表示されているが、所定の月に分類されている１枚のサムネイル画像は、その月の所定の日に撮影された画像を代表するサムネイル画像であり、そのようなサムネイル画像が選択された場合、その日に撮影された画像に対応するサムネイル画像が、図１７Ｂに示したように一覧表示される。
【０２０７】
図１７Ｂの一覧表示画面３５１には、サムネイル画像３５２−１乃至３５２−９が表示されている。また、サムネイル画像３５２−１上には、カーソル３５３も表示されている。さらに、一覧表示画面３５１の左側には、日付が表示される日付表示部３５４が設けられ、右側にはスクロールバー３３６が表示される。
【０２０８】
このような一覧表示画面３５１から、所定のサムネイル画像が選択されると、その選択されたサムネイル画像に対応する画像が、一枚表示される。例えば、図１７Ｂに示した一覧表示画面３５１のサムネイル画像３５２−１上に、カーソル３５３が位置しているときに、決定ボタン３６が操作されると、サムネイル画像３５２−１に対応する画像３５２−１’が、一枚表示画面３７１として、表示部３４に表示される。
【０２０９】
このように、順次、画像を選択できるようにされている。
【０２１０】
図１４のフローチャートの説明に戻り、ステップＳ８９において、図１７Ａに示したような内部記録部５９に記録されている画像の一覧表示画面３３１が表示されると、ステップ９０において、日付が選択されたか否かが判断される。“日付が選択された”というのは、一覧表示画面３５１に表示されているサムネイル画像のなかから、１枚のサムネイル画像が選択されたことを意味する。
【０２１１】
ステップＳ９０において、日付が選択されたと判断された（１枚のサムネイル画像が選択された）と判断された場合、ステップＳ９１に処理が進められる。ステップＳ９１において、選択された日付における一覧表示画面（選択されたサムネイル画像と同一の日に撮影された画像の一覧表示画面）が表示される。上述したように、図１７Ｂに示したような画面が表示される。
【０２１２】
日付における一覧表示画面が表示されると、ステップＳ９２におて、月毎における一覧表示画面に、表示が戻されるように指示が出されたか否かが判断される。すなわち、図１７Ｂに示したような画面から、図１７Ａに示したような画面に、表示を戻すことが指示されたか否かが判断される。ステップＳ９２において、月毎における一覧表示画面の表示が指示されたと判断された場合、ステップＳ８９に戻り、それ以降の処理が繰り返される。
【０２１３】
一方、ステップＳ９２において、月毎における一覧表示画面に表示が戻されるような指示は出されていないと判断された場合、ステップＳ９３に処理が進められる。ステップＳ９３において、決定ボタン３６が操作されたか否かが判断される。ステップＳ９３において、決定ボタン３６が操作されたと判断された場合、ステップＳ９４に処理が進められ、指示された画像の再生が行われる。すなわち、上述したように、図１７Ｃに示したように、画像の１枚表示が行われる。
【０２１４】
画像の一枚表示が行われると、ステップＳ９５におて、日付における一覧表示画面に、表示が戻されるように指示が出されたか否かが判断される。すなわち、図１７Ｃに示したような画面から、図１７Ｂに示したような画面に、表示を戻すことが指示されたか否かが判断される。ステップＳ９５において、日付における一覧表示画面の表示が指示されたと判断された場合、ステップＳ９１に戻り、それ以降の処理が繰り返される。
【０２１５】
一方、ステップＳ９５において、日付における一覧表示画面の表示は指示されていない判断された場合、ステップＳ９６に処理が進められ、リムーバブルメディア９１に記録されている画像の再生が指示されたか否かが判断される。ステップＳ９６において、リムーバブルメディア９１に記録されている画像の再生が指示されたと判断された場合、ステップＳ８１（図１３）に処理が戻され、それ以降の処理が繰り返される。
【０２１６】
一方、ステップＳ９６において、リムーバブルメディア９１の画像の再生は指示されていないと判断された場合、ステップＳ９７に処理が戻される。ステップＳ９７には、ステップＳ９０において、図１７Ａに示したような一覧表示画面３３１からサムネイル画像は選択されていないと判断された場合もくる。
【０２１７】
このような場合、ステップＳ９７においては、カーソルを移動させるための処理が実行される。このステップ９７における処理は、ステップＳ８８における処理と基本的に同様に行われる。すなわち、図１７Ａや図１７Ｂに示したような一覧表示画面３３１や一覧表示画面３５１が表示されているときには、ユーザが指示した方向にカーソル３３４が移動され、図１７Ｃに示したような１枚表示の画面においては、例えば、時間的に隣り合う画像に表示が切り替えられる。
【０２１８】
このようにして、再生処理が実行される。この再生の処理は、ユーザにより再生の終了が指示されたときに、割込処理として終了される。
【０２１９】
このように、内部記録部５９に記録されている画像と、リムーバブルメディア９１に記録されている画像とでは、再生のときに表示される画面が異なり、特に、内部記録部５９に記録されている画像が表示（再生）されるときには、日付など、画像処理装置１１で過去に撮影した画像が、撮影された日時などがわかるように表示される。よって、内部記録部５９に記録されている画像は、アルバム的に用いる事ができる。
【０２２０】
なお、画像処理装置１１に、ＵＳＢなどを介して外部装置が接続されているときには、内部記録部５９に記録されている画像を閲覧することができないが、ＡＶケーブルなどを介してテレビジョン受像機などと接続されているときには、そのテレビジョン受像機で、内部記録部５９に記録されている画像を閲覧することは可能とされている。よって、ユーザは、テレビジョン受像機などで、内部記録部５９に記録されている画像を、アルバム的に閲覧することもできる。このようなテレビジョン受像機などでの画像の再生は、基本的に、図１３，１４のフローチャートを参照して説明した場合と同様に行うことが可能である（表示部３４の代わりに、テレビジョン受像機などの表示装置を用いることが可能である）。
【０２２１】
なお、上記した実施の形態においては、内部記録部５９のエリア１８１に記録されている画像データ（画像ファイル）は、外部装置が接続されたときには、その外部装置では見られないデータであるとした。しかしながら、例えば、他のユーザに、自己が撮影した画像を見せたいときや、その画像をあげたいときなどに、内部記録部５９の画像データがコピーできるような機能を持たせても良い。このようにすれば、リムーバブルメディア９１に記録されている画像を誤って削除してしまったようなときに、内部記録部５９に記録されているデータを用いて復活させることも可能となる。すなわち、内部記録部５９に記録されているデータは、バックアップ的にも用いることが可能なようにしても良い。
【０２２２】
［記録媒体について］
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム格納媒体からインストールされる。
【０２２３】
コンピュータにインストールされ、コンピュータによって実行可能な状態とされるプログラムを格納するプログラム格納媒体は、図２に示すように、磁気ディスク（フレキシブルディスクを含む）、光ディスク（CD-ＲＯＭ(Compact Disc-Read Only Memory),DVD(Digital Versatile Disc)を含む）、光磁気ディスク（ＭＤ（Mini-Disc）を含む）、もしくは半導体メモリなどよりなるパッケージメディアであるリムーバブルメディア９１、または、プログラムが一時的もしくは永続的に格納されるＲＯＭ６３や、内部記憶部５９を構成するハードディスクなどにより構成される。プログラム格納媒体へのプログラムの格納は、必要に応じてルータ、モデムなどのインタフェースである通信部（不図示）を介して、ローカルエリアネットワーク、インターネット、デジタル衛星放送といった、有線または無線の通信媒体を利用して行われる。
【０２２４】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０２２５】
なお、本発明の実施の形態は、上述した実施の形態に限定されるものではなく、本発明の要旨を逸脱しない範囲において種々の変更が可能である。
【図面の簡単な説明】
【０２２６】
【図１】本発明を適用した画像処理装置の一実施の形態の外観の構成を示す図である。
【図２】画像処理装置の内部構成例を示す図である。
【図３】画像処理装置の機能を示す図である。
【図４】内部記録部内のエリアについて説明するための図である。
【図５】画像処理装置の動作について説明するフローチャートである。
【図６】記録再生処理の詳細について説明するフローチャートである。
【図７】記録処理の詳細について説明するフローチャートである。
【図８】アルバム用の動画像について説明するための図である。
【図９】画像データの削除について説明するための図である。
【図１０】フォルダについて説明するための図である。
【図１１】フォルダについて説明するための図である。
【図１２】フォルダについて説明するための図である。
【図１３】再生処理の詳細について説明するフローチャートである。
【図１４】図１３のフローチャートに続くフローチャートである。
【図１５】表示画面の一例を示す図である。
【図１６】表示画面の一例を示す図である。
【図１７】表示画面の一例を示す図である。
【符号の説明】
【０２２７】
１１  画像処理装置，  ２１  本体，  ２２  本体，  ３１  モード切替ボタン，  ３２  シャッタボタン，  ３３  録画ボタン，  ３４  表示部，  ３７  シャトル，  ５１  撮影部，  ５７  出力部，  ５８  圧縮伸張処理部，  ５９  内部記録部，  ６０  制御部，  ６１  入力部，  ６３  ROM，  ９１  リムーバブルメディア，  １０１  記録処理部，  １０２  記録再生処理部，  １２１  システムチェック部，  １２２  接続判断部，  １２３  通信部，  １２４  マウント処理部，  １２５  アンマウント処理部，  １４１  撮影制御部，  １４２  記録制御部，  １４３  再生制御部，  １５１  内部記録制御部，  １５２  外部記録制御部，  １６１  内部再生制御部，  １６２  外部再生制御部
【図１】
0004586684.tif 000002
【図２】
0004586684.tif 000003
【図３】
0004586684.tif 000004
【図４】
0004586684.tif 000005
【図５】
0004586684.tif 000006
【図６】
0004586684.tif 000007
【図７】
0004586684.tif 000008
【図８】
0004586684.tif 000009
【図９】
0004586684.tif 000010
【図１０】
0004586684.tif 000011
【図１１】
0004586684.tif 000012
【図１２】
0004586684.tif 000013
【図１３】
0004586684.tif 000014
【図１４】
0004586684.tif 000015
【図１５】
0004586684.tif 000016
【図１６】
0004586684.tif 000017
【図１７】
0004586684.tif 000018